(57)【要約】ローカル制御アクセスを備えた有する固体量子コンピュータは量子力学情報単位としてのスピンの位置固定された配置に基づく。このローカル制御アクセスは、計算操作の実施のために個々のスピンの共鳴振動数並びにスピンの個々のアドレッシングのための相互のスピンのカップリングを動的に変更することができる。公知のローカル制御アクセスは出力が弱くかつ製造が困難である。本発明による方法の場合には、内包フラーレンの形の封入原子の電子スピンが利用され、この電子スピンは磁気双極子−双極子相互作用（１０５）により相互に電磁的カップリング（Ｊ）の状態にある。共鳴振動数ωの制御は、調節可能な滞留時間で内包フラーレン（１０４）の籠へ又は籠からの制御された電子伝達によって行われる。電磁的カップリング（Ｊ）の制御は、外部磁場（Ｂ）（１０９）の方位と隣接したフラーレン（１０４）の結合ベクトル（ｒ）（１０７）との間の制御された角度変化ν（１０８）により行われる。電子スピン−量子コンピュータの実現化は異なる共鳴振動数ωを有する内包フラーレン（１０４）のマトリックス状の配列が想定される。アドレッシング−制御アクセスは特に大面積電極（１０３）として構成でき、カップリング−制御アクセスは特に機械的、光学的又は化学的に実現することができる。
2004514226.tif 000002
【特許請求の範囲】
【請求項１】
個々のスピンの共鳴振動数の制御及び隣接したスピン間の電磁的カップリングの制御によって、基板に局所的に配置されたアドレッシング可能なスピンを、外部磁場中で入射された電磁パルスにより共鳴振動数に影響を及ぼすことができるスピン箇所で符号化することにより、量子力学的情報単位を処理する方法において、アドレッシング可能な電子スピン（１０６）の情報処理のために内包フラーレン（１０４）の籠内部空間中の結合していない封入原子を利用し、このフラーレンは隣接した封入原子の電子スピン（１０６）と共に磁気双極子−双極子相互作用（１０５）によってカップリングしていて、かつ電子スピン（１０６）の共鳴振動数（ω）の制御は調節可能な滞留時間を有する内包フラーレン（１０４）の籠への又は籠からの制御された電子伝達により行い、及び／又は電磁的カップリング（Ｊ）の制御は外部磁場（Ｂ）（１０９）の方位と隣接したフラーレン（１０４）の結合ベクトル（ｒ）（１０７）との間の制御された角度変化（θ）（１０８）により行うことを特徴とする、量子力学的情報単位を処理する方法。
【請求項２】
制御を周期的な動作クロックで行う、請求項１記載の方法。
【請求項３】
個々の電子スピン（１０６）の共鳴振動数（ω１、ω２、ω３）の制御を、付加的な外部手段なしで、個々の電子スピン（１０６）の静的な識別のために、内包フラーレン（３０４，３０５，３０６）の種類、バリエーション又は化学的修飾の選択により並びに封入原子の種類の選択により及び／又は隣接したフラーレン（３０４，３０５，３０６）の局所的配置の選択により行う、請求項１又は２記載の方法。
【請求項４】
個々の電子スピンの共鳴振動数の制御を、個々の電子スピンの動的な識別のために、電子伝達の電子的制御の形、フラーレンの籠上に伝達された電子の滞留時間の化学的影響の形及び／又は電子伝達の光学的選択励起の形の付加的な外部手段によって行う、請求項１から３までのいずれか１項記載の方法。
【請求項５】
複数の静的に識別可能な電子スピンに、動的な識別のための共通の少なくとも１つの手段を行う、請求項３及び４記載の方法。
【請求項６】
電子伝達用の電子は電気的制御フィールドをかけることで内包フラーレンの周囲から生じるか又はこの周囲へ戻る、請求項４又は５記載の方法。
【請求項７】
電子伝達用の電子は電気的制御フィールドをかけることで、フラーレンに結合しているポリマーベースのドナー分子から生じるか又はこのドナー分子へ戻る、請求項４又は５記載の方法。
【請求項８】
電子伝達用の電子は光学的制御フィールドをけけることで、フラーレン（３０４）に結合しているポリマーベースの感光性の、特に感色性のドナー分子（３１１，３１２，３１３）から生じる、請求項４又は５記載の方法。
【請求項９】
付加的な外部手段を用いる及び付加的な外部手段なしの共鳴振動数用の多様な調節形式の組合せにより、細分化された複雑なプロトコルが量子力学的情報単位の処理のために提供可能である、請求項１から８までのいずれか１項記載の方法。
【請求項１０】
隣接した電子スピン（１０６）間の電磁的カップリング（Ｊ）の制御を、外部磁場（Ｂ）（１０９）に対する個々のフラーレン又はグループにまとめられたフラーレン（１０４）の相対的位置変化による、外部磁場（Ｂ）（１０９）の方位と、隣接したフラーレン（１０４）の結合ベクトル（ｒ）（１０７）との間の０゜〜５４．７゜の角度範囲内の制御された角度変化（θ）（１０８）により行う、請求項１から９までのいずれか１項記載の方法。
【請求項１１】
制御された角度変化（θ）（１０８）を４５゜±９．７゜の角度範囲内で行う、請求項１０記載の方法。
【請求項１２】
相対的位置変化を、外部磁場の有効な方位（β）（２０３）の傾斜又は変化により、又は内包フラーレン（１０４）が局所的に配置されている基板（１０１）の傾斜（θ）（１０８）により行う、請求項１０又は１１記載の方法。
【請求項１３】
相対的位置変化を、個々の又はグループにまとめられた内包フラーレン（１０４，１０４′）の、外部磁場（Ｂ）（１０９）の方位に沿ったシフト（ｄ）（２０２）により行う、請求項１０又は１１記載の方法。
【請求項１４】
個々のスピンの共鳴振動数の制御及び隣接したスピン間の電磁的カップリングの制御によって、基板に局所的に配置されたアドレッシング可能なスピンを、外部磁場中で入射された電磁パルスにより共鳴振動数に影響を及ぼすことができるスピン箇所で符号化することにより、量子力学的情報単位を処理する請求項１から１３までのいずれか１項記載の方法を実施するための、個々のスピンの共鳴振動数の制御のための局所的アドレッシング−制御アクセスと、隣接したスピン間の電磁的カップリングの制御のための局所的カップリング−制御アクセスとを備えたスピンに基づく量子コンピュータの形の装置において、アドレッシング可能なスピンは、同じ又は異なる構造の内包フラーレン（１０４，３０４，３０５，３０６）の籠内部空間中の結合していない内包元素の電子スピン（１０６）により形成されており、この内包フラーレンは基板（１０１，３０１）を含めて、二次元的又は三次元的形態を有するマトリックス内で相互に所定の距離（ａ）（３００，３００′）及び相対位置で相互に固定結合されており、かつアドレッシング−及び／又はカップリング−制御アクセス（１０３，３０３）は、構造的に個々のスピン（１０６）の共鳴振動数（ω）の制御の選択された形に応じて及び隣接したスピン（１０６）間の電磁的カップリングの制御の選択された形に応じて構成されていることを特徴とする、量子力学的情報単位を処理する装置。
【請求項１５】
個々の電子スピンの共鳴振動数の制御のために、アドレッシング−制御アクセスを介して制御電圧を印加し、この制御電圧は基板からフラーレンへの又はフラーレンを取り囲む電解質からフラーレンへの電子伝達を行う、請求項１４記載の装置。
【請求項１６】
ポリマーベースのドナー分子からの電子伝達による個々の電子スピンの共鳴振動数の制御のために、ドナー分子は直接的な化学結合によって又はポリマーベースのリード部を介して内包フラーレンと結合しており、かつ電極の形のアドレッシング−制御アクセスを介して制御電圧が印加される、請求項１４記載の装置。
【請求項１７】
ポリマーベースの感光性ドナー分子（３１１，３１２，３１３）からの電子伝達による個々の電子スピン（１０６）の共鳴振動数の制御のために、ドナー分子は直接的な化学結合によって又はポリマーベースのリード部を介して内包フラーレン（３０４）と結合しており、かつ光源の形のアドレッシング−制御アクセスを介して励起光束が作り出される、請求項１４記載の装置。
【請求項１８】
静的に識別可能な電子スピンの場合に共通のアドレッシング−制御アクセスが設けられている、請求項１４から１７までのいずれか１項記載の装置。
【請求項１９】
内包フラーレンは、異なる双極子カップリングを有するオリゴマー又はポリマーの又は化学的に相互に結合した内包フラーレン系の形に構造化されていてかつマトリックス中に配置されている、特に配向されて配置されている、請求項１４から１８までのいずれか１項記載の装置。
【請求項２０】
内包フラーレン（３０４）は線状鎖（４０１，４０２）の形で個々のフラーレン（３０４）間の規則的距離（ａ）で、結合点に又は個々の又は線状の又はカップリングした鎖の形で、規則的なハニカム構造体を有する格子のメッシュに沿って、基板（３０１）上の平面状のマトリックス中に配置されている、請求項１９記載の装置。
【請求項２１】
外部磁場（Ｂ）（１０９）又は内包フラーレン（１０４）が局所的に配置されている基板（１０１）の傾斜（β，θ）による隣接した電子スピン間の電磁的カップリングの制御のために、カップリング−制御アクセスが相応する傾斜メカニズムの形で、特に基板範囲の傾斜の際に液晶の形で構成されている、請求項１９又は２０記載の装置。
【請求項２２】
外部磁場（Ｂ）（１０９）の有効な方位の変化による隣接した電子スピン（１０６）間の電磁的カップリング（Ｊ）の制御のために、カップリング−制御アクセスが、量子化するメインフィールドに対して直交する付加的フィールドとして構成されている、請求項１９又は２０記載の装置。
【請求項２３】
個々の又はグループにまとめられた内包フラーレン（１０４，１０４′）の、外部磁場（Ｂ）（１０９）の方位に沿ったシフト（ｄ）（２０３）による隣接した電子スピン（１０６）間の電磁的カップリングの制御のために、相応する力の伝達によってフラーレン又はフラーレングループへ作用するカップリング−制御アクセスが、圧電素子又は振動素子又は表面弾性波を生じるデバイスの形で構成されている、請求項１９又は２０記載の装置。
【請求項２４】
隣接した電子スピン間の静的に識別可能な電磁的カップリングにおいて、それぞれ個々の、これらを共通してカバーするカップリング−制御アクセスが、カップリングのために選択された制御形態に応じた構造形態で設けられている、請求項１９から２３までのいずれか１項記載の装置。
【発明の詳細な説明】
【０００１】
本発明は、個々のスピンの共鳴振動数の制御及び隣接したスピン間の電磁的カップリングの制御によって、基板に局所的に配置されたアドレッシング可能なスピンを、外部磁場中で入射された電磁パルスにより共鳴振動数に影響を及ぼすことができるスピン箇所で符号化することにより量子力学的情報単位を処理する方法に関する。さらに、本発明は、前記方法を実施するための、個々のスピンの共鳴振動数を制御する局所的アドレッシング−制御アクセス及び隣接したスピン間の電磁的カップリングを制御する局所的カップリング−制御アクセスを備えたスピンに基づく量子コンピュータの形の装置に関する。
【０００２】
量子力学的情報処理は極めて新しい分野である（参考文献”Ｑｕａｎｔｕｍ ｉｎｆｏｒｍａｔｉｏｎ ａｎｄ ｃｏｍｐｕｔａｔｉｏｎ” Ｃ．Ｈ． Ｂｅｎｎｅｔｔ， Ｄ．Ｐ． ＤｉＶｉｎｃｅｎｚｏ， Ｎａｔｕｒｅ／ Ｖｏｌ ４０４／１６． Ｍａｒｃｈ ２０００／ ｐｐ ２４７−２５５参照）。その下位領域はスピン−量子コンピュータにおいて個々のスピン箇所に量子力学的情報単位（いわゆるキュービット）を符号化することによる量子力学的情報単位の処理に取り組んでいる。この情報は、この種のコンピュータの場合に、外部磁場中で共鳴振動数を有する電磁パルスにより伝達される（磁気共鳴現象、例えば核スピン−トモグラフィーから公知）。スピン−量子コンピュータのいくつかの実現化は文献中で記載されている（例えばＢｅｎｎｅｔｔ ａｎｄ ＤｉＶｉｎｃｅｎｚｏの上記文献参照）が、このたいていは液体−量子コンピュータであり、この場合には情報を有する核スピン系は液相の形で存在する。この種の量子コンピュータは、局所的制御アクセスによるスピンの局所的な動的制御が不可能である。従って、情報は電磁パルスの入射時に原則的に同じ共鳴振動数を有する全てのスピンに伝達される。従って、活性核スピンがその局所的周辺フィールドを通して静的に多様な共鳴振動数を有する特別な分子を使用しなければならない。本来の情報処理のために必要なスピン相互のカップリングはこのコンピュータの場合にこの分子により不変に設定される。
【０００３】
局所的制御アクセスを備えた固体量子コンピュータは液体量子コンピュータよりも極めて高性能である。この量子コンピュータは公知の実施形態では分子の所定の設計に基づいておらず、例えば半導体技術から公知の固体のナノ構造化法によるスピンの配置に基づいている。局所的制御アクセスは個々のスピンの共鳴振動数並びにスピン相互のカップリングの動的変更が行える。それにより、コンピュータのデザインにおいて自由度を増すことができ、特に僅かなキュービットから多くのキュービットまでの構想に段階付けすることができる。スピンのアドレッシング制御によりこの応答性を規定することができる。共鳴振動数を有するスピンだけが応答可能である。共鳴振動数が制御手段により調節される場合、相応するスピンは「遮断」され、本来の共鳴振動数によりもはや応答できない。隣接したスピン間のカップリングの制御により計算プロセスに影響を及ぼすことができる。特にスピンの調節の間及び計算プロセス後の読み取り時でのカップリングの遮断が可能である。「隣接したスピン」とはこの文脈において２つのスピンの直接的な隣り合いだけでなく、複数の並んで配置されたスピンの間接的な隣り合いでもあると解釈される。
【０００４】
個々のスピンの共鳴周波数の制御及び隣接したスピン間の電磁的カップリングの制御を用いてスピン箇所を符号化する方法及び電子的制御アクセスを相応して実現化する方法は、ＷＯ９９１４８５８から公知である（”Ａ ｓｉｌｉｃｏｎ−ｂａｓｅｄ ｎｕｃｌｅａｒ ｓｐｉｎ ｑｕａｎｔｕｍ ｃｏｍｐｕｔｅｒ” Ｂ．Ｅ． Ｋａｎｅ， Ｎａｔｕｒｅ／Ｖｏｌ ３９３／１４． Ｍａｙ １９９８／ ｐｐ １３３−１３７参照）。この場合、キュービットとしてケイ素中の個々のリン原子の核スピンが使用されている。この方法は、制御可能な電場を用いて電子環境に影響を与えることにより、符号化のために利用する核スピン系のカップリングに基づいている。個々のアドレッシング可能な核スピンの共鳴周波数の制御のために、電場をかけることにより個々の核スピンとその価電子との超微細カップリングが直接変化される。このために、アドレッシング−制御アクセスは電極として構成され、リン原子上に正確に位置決めされかつ制御電圧が接続される。隣接した核スピン間の電磁的カップリングを制御する場合には、電場の局所的印加によって、隣接した核スピン間の交換相互作用が再び変化する。このために同様に電極として構成されたカップリング−制御アクセスは、相互作用する核スピン間に位置的に正確に配置しなければならず、このカップリング−制御アクセスは制御電圧がかけられる。この方法及びこの実現化の場合の難点は、電子的制御アクセスにより多様なカップリングに制御する影響が極めてわずかな点である。それによりこの制御アクセスの技術的実現化に関する極端に高い要求、特にシリコン基板内での定義された箇所での個々のリン原子の位置決めが求められる。さらに、数ナノメートルの範囲内の寸法を有する電極として構成される制御アクセスはいまだに技術的に実現化できていない。
【０００５】
前記の理由から、スピン−量子コンピュータの場合に、一方で所定の情報キャリアに選択的に応答し（スピン−共鳴周波数の制御された変更によるアドレッシング）、他方で情報キャリア間のカップリングを意図的にスイッチオン及びスイッチオフするかもしくはその強度を変更する（スピン−カップリングの制御）ことが必要となる。従って本発明の課題は、特に大きな柔軟性を有する有能かつ有効な方法を提供することであった。方法の実施のための有利な装置もこの場合簡単な方法でこの柔軟性を実現できる。しかしながら、本発明による方法及び実現化する装置は公知の方法及びその実現化の際に指摘された難点を解消すべきである。
【０００６】
この問題の解決手段として、個々のスピンの共鳴周波数の制御及び隣接したスピン間の電磁カップリングの制御によって量子力学的情報単位を処理する冒頭に記載した種類の方法において、従って、情報処理のために内包フラーレンの籠内部空間内の結合していない封入原子を使用し、これは隣接した封入原子の電子スピンと磁気双極子−双極子相互作用を介して結合していて、かつ電子スピンの共鳴振動数の制御を、調節可能な滞留時間を有する内包フラーレンの籠への又は籠からの制御された電子伝達によって行い及び／又は電磁カップリングの制御を、外部磁場の方位と隣接したフラーレンの結合ベクトルとの間の制御された角度変化によって行うことが想定される。
【０００７】
さらに、方法実施のためのスピンに基づく量子コンピュータの形の装置の場合に、課題の解決のために、アドレッシング可能なスピンは同じ又は異なる構成の内包フラーレンの籠内部空間中の結合していない封入原子の核スピンにより形成され、この内包フラーレンは基板を含めて二次元的又は三次元的形態を有するマトリックス内で相互に所定の距離及び相対位置で相互に固定結合されており、かつアドレッシング−及び／又はカップリング−制御アクセスは、構造的に個々のスピンの共鳴周波数の制御の選択された形に応じて及び隣接したスピン間の電磁的カップリングの制御の選択された形に応じて構成されている。
【０００８】
本発明による方法の有利な実施態様及び有利な装置は、相応して記載された引用形式請求項に記載されている。この場合、「アドレッシング−制御アクセス」及び「カップリング−制御アクセス」の概念は本発明の範囲内で、対応して制御すべき位置への一般的なアクセス性において選択される（Ｚｕｇａｎｇ ｈａｂｅｎ）。このアクセスの実現化は多様な性質の制御様式の選択に応じることができ、かつ電気的アクセス、例えば簡単な平面電極の形、から光学的、熱的及び化学的並びに他の手法によるアクセスの形で達成することができる。
【０００９】
本発明による方法の基本的な特徴は、相対的に僅かな感度を有する核スピン系の公知の利用に対して、情報加工のために電子スピン系を利用することである。電子スピン系として安定な内包フラーレンを利用する。フラーレンは炭素原子からなる籠状の分子である。最も公知なものはＣ６０分子である。この分子の内部に多様な方法で原子又は分子を封入させることができる。こうして形成された分子は内包フラーレンと呼ばれる。本発明による方法のために使用可能な内包フラーレンにおいて、封入された原子はフラーレンの内側と結合せず、籠中央に遊離して位置し、それにより封入された原子の電子スピンのための所望な特性が利用される（ＥＰ０９５８２４１参照）。その周囲からの電子スピンの極めて良好な遮蔽によって長いコヒーレント時間が生じ、この時間内で全ての関連するスピンの状態が位相コヒーレントで保たれる。
【００１０】
さらに、本願発明で使用される内包フラーレンは磁気双極子を示し、これは隣接した電子スピンに対して磁気双極子−双極子相互作用の可能にしかつ量子力学的計算を可能にする。
【００１１】
本発明による方法の場合に、電子スピンの利用により量子計算のための２つのコンセプトを実現化できる：一つは、インプット及びアウトプット、計算及び記憶の形の全体のデータ処理を電子スピンを用いるだけで行うことができる。核スピンはこの場合に無視されるか又は失活することができる。もう一つは中間結果の長時間記憶のための第１のコンセプトの拡張において核スピンを参照することができる。核スピンは電子スピンよりも長いコヒーレント時間を示すため、「集積された量子−ハードディスク」として利用することができる。しかしながら、いくらか短いコヒーレント時間を有する電子スピンによる増大する非コヒーレンスを未然に防ぐために急速な計算時間が必要である。電子スピンに基づく系の他の利点は、完全な分極までの電子スピンのより強い分極性であり、それによりスピン状態を調査するためのプロセス開始時の煩雑な初期化ルーチン（これは例えば上記に引用したＷＯ９９１４８５８から公知である）を使用せず、かつより強い分極性と関連して核スピン（ＮＭＲ）と比較して電子スピン共鳴（ＥＳＲ）は著しく高感度であり、これはシグナル検出能力を改善する。
【００１２】
本発明の方法の他の本質的な特徴群は、個々のスピンのアドレッシングの制御及び隣接したスピン間のカップリングの制御の種類である。１つ又は複数の電子を内包フラーレンへ制御して伝達することにより、そのスピン系は共鳴線が著しくシフトするか又はこれが極端に著しく拡張されることにより著しく変化するため、入射された周波数にはもはや応答しない。つまり、フラーレンへの電子伝達によって電子スピンの応答蓋然性を遮断し、それによりそのアドレッシングを制御することが可能である。
【００１３】
Ｐ． Ｊａｋｅｔ ｅｔ ａｌ著の文献”Ｓｙｎｔｈｅｓｉｓ ａｎｄ ＥＰＲ ｓｔｕｄｉｅｓ ｏｆ Ｎ＠Ｃ６０ ａｎｄ Ｎ＠Ｃ７０ ｒａｄｉｃａｌ ａｎｉｏｎ” （ＸＩＶｔｈ Ｉｎｔｅｒｎａｔｉｏｎａｌ Ｗｉｎｔｅｒｓｃｈｏｏｌ ｏｎ Ｅｌｅｃｔｒｏｎｉｃ Ｐｒｏｐｅｒｔｉｅｓ ｏｆ Ｎｏｖｅｌ Ｍａｔｅｒｉａｌｓ， Ｋｉｒｃｈｂｅｒｇ （Ａｕｓｔｒｉａ） ２０００）から、Ｃ６０分子が複数の電子を収容可能であり（電子受容体として機能）、それにより、封入された原子の共鳴周波数がシフトされている新規の状態（電子伝達時のＮ＠Ｃ６０のＥＳＲ−共鳴線の消滅）を生じることが公知である。しかしながらこの知識から利用のための手掛かりまたは示唆は得られない。双極子−双極子−カップリングの場合の角度変化による隣接したスピン間のカップリングの制御の変換もこの文献からは公知ではない。しかしながらより上位にある磁場中での双極子場の挙動に関するこの知識は一般に公知でありかつ物理的基礎知識に属する。この電子スピンは磁気双極子モーメントを有し、この磁気双極子モーメントは距離と共に急速に低下する磁場を生じる。しかしながらこの磁場はそれぞれ隣接した電子スピン（双極子−双極子カップリング又は双極子−双極子相互作用）に作用する。双極子場のジオメトリーは、２つのキュービットの間のカップリング強度がフラーレンの結合線と生じた双極子の配向との間の角度に著しく依存する結果となる。特に、「磁気的」角度が５４．７゜の場合にカップリング強度Ｊ＝０である。それに対して、この角度がゼロである場合に、カップリングＪは最大である。電子スピンの配向は、外部からかけられる磁場の方位に（同じ又は正反対）追従する。従って、２つのフラーレンの結合線と外部磁場の方位との間の角度を制御して調整することにより、本発明による方法の場合に双極子−双極子カップリングの強度をゼロと最大値との間で制御できるかもしくは切り替えることができる。
【００１４】
スピン及びそのカップリングのアドレッシングの制御の場合には、１回の制御プロセス、例えば初期化又はリセットの実施の他に、クロック制御を実施する可能性も生じる。所定の動作クロック内でのこの制御は、典型的な電子計算機に対する時間クロックと同様とみなされ、これは可能な限り最高の同期性を有する最適な計算経過を可能にする。
【００１５】
本発明による方法の実現はスピン−量子コンピュータにおいてなされる。このために複数の内包フラーレンが基本構成単位として相互に選択可能な関係で配置され、それにより寸法形状的に十分に規定されたスピン系を有する固体構造が提供される。この場合には、構造に応じて同じ又は異なる内包フラーレンを使用することができ、それによって特にキュービットの異なるクラスの静的アドレッシング可能性を設定でき、このキュービットは同じ局所的な周囲フィールドによって特徴付けられている。フラーレン相互の距離及び相対的位置の選択によって、キュービット間のカプリングの静的予備調整を達成することができる。多様な天然由来のＶ族の元素（１４Ｎ、１５Ｎ、３１Ｐ）をフラーレン中に封入することができる。さらに、フラーレン分子は変えることができ（Ｃ６０に代えてＣ７０）るか又は化学的な基（アデンド）を取り付けてアダクト形成することにより化学的に修飾される。それにより、静的に識別可能なキュービットとしてそれぞれ特徴付けられた共鳴振動数を有する多様な、個々にデザインされた分子が提供される。フラーレンのダイマー（フラーレン−オリゴマー）もしくはフラーレン−ポリマー（一般にフラーレン−システム）を製造する手段によって、その中に組み込まれた電子スピン間の定義された双極子カップリングを有する構造体をさらに実現することができる。関与するスピンの数は原則として自由に選択可能であるため、従って任意のサイズの線的、平面的又は空間的なキュービットシステムを作成できる。さらに、この方法で同じキュービットシステムを１つの工程で実現でき、これは読み取り工程のために有利である。このフラーレンオリゴマーが相応するマトリックス中に配向して組み込まれている場合には、並列のｎ次元のキュービット−固体システムが得られる。
【００１６】
フラーレン相互の化学的結合によっても製造することができるこのようなフラーレン−システムの配置は、多様な可能性を有する。基本構造ではこのフラーレン−システムは個々のフラーレン相互の間で規則的距離を有する線状鎖として構成される、それというのも隣接したフラーレン間の結合ベクトルは同じ値及び同じ方向であるためである。従って、磁場の配向に対する「磁気的角度」を全ての電子スピンに対して同時に選択することができるため、全てのスピンの全体のデカップリングが生じる。他の方法では、規則的なハニカム構造を有する格子が可能であり、この格子の結合点にフラーレンが配置されている。このハニカムは任意であるが、しかしながら特に方形（従って結合は「方形」でもある）又は三角形であることもできる。各構造に対して、不所望なカップリングは相応して入射されるパルス系によって再度リセットすることができる。他の方法では、複数のフラーレンがメッシュに沿って再度線状鎖の形で配置されている格子が可能である。この鎖はそれ自体完全にデカップリング可能である。しかしながら、相互作用の距離依存性に基づき隣の鎖とは相互作用は生じない、それというのもこれらの鎖は遠く離れて配置されているためである。さらに、意図的に相互にカップリングされた鎖を有する構造及び空間的配置が可能である。
【００１７】
キュービットの共鳴周波数の変化により個々の電子スピンのアドレッシングを制御する場合に、これは付加的な外部手段なしで、フラーレン分子の種類及び化学的修飾、封入原子の種類及び隣接したキュービット相互の配置によって相互に影響を受ける。付加的な外部手段を含めた場合、振動周波数は１つ又は複数の電子をフラーレンに伝達することにより変えることができる。この手法は電荷移動の電子的制御により、フラーレン上での電子の滞留時間の選択（化学的にも影響を受ける）により及び電荷キャリアの光学的に選択された励起によって制御することができる。従って、個々の手段の適当な組合せによって、量子コンピュータを用いた計算のための極めて細分化されかつ複雑なプロトコルを実現できる。特に複数の静的に識別可能なキュービットを１つのグループにまとめることができ、このグループは、例えば電極の形の１つの制御アクセスで共通に切り替えられる。それにより特にこの電極は、先行技術から公知のナノメーター領域の困難な寸法を有する電極よりも大きく設計することができる。共通の制御電極は、例えば電荷搬出だけを制御することができ（分離ダイオード）、それに対して電子供給は物質的な電極なしで光学的励起によって行われる。この場合には、制御アクセスは制御可能な光源によって相応して実現される。
【００１８】
次に、共鳴振動数の変化による電子スピンのアドレッシング可能性のコントロール可能な制御のために、フラーレンに電子伝達する多様な手段及び実現化を記載する。
【００１９】
−　電場による電子伝達
電子のソース及び低地（Ｓｅｎｋｅ）としてフラーレン分子の周囲、特に基板又はフラーレンを取り囲む電解質が挙げられる。制御電圧の印加により１つ又は複数の電子をフラーレンに伝達するか又はフラーレンから取り去ることができる。電解質の使用の場合、付加的にフラーレンの固定に留意しなければならない（例えば付着改善性アデンドの使用による）。
【００２０】
−　フラーレンのドナー分子への結合
フラーレン研究から、フラーレンは光起電性の適用において電子−正孔対の分離のためにポリマーと結合して使用できることは公知である。フラーレン分子への電荷伝達はこの場合極めて迅速である（数フェムト秒）。従って、ポリマーベースのリード部を介した電子伝達及び電子搬出は可能であり、それにより電極構造体の寸法的な等化を達成することができる。材料の適当な選択により、フラーレン分子状での電子の滞留時間を調整することができる。場合により、フラーレンとポリマーとの間の直接的な化学結合も製造できる。
【００２１】
−　電子−正孔対の励起による光学スイッチ
太陽電池研究から同様に、上記したドナー分子中の電子−正孔対の光学励起は公知である。それによりアドレッシング制御アクセスの光学スイッチが可能である。この場合、特に多様な感色性を有する、つまり多様な吸光波長を有するドナー分子も使用可能であり、それによりキュービットの個々のクラスの同時又は意図的な光学スイッチが可能である。
【００２２】
次に、２つの電子スピン間のカップリングのコントロール可能な制御のための磁気双極子−双極子−カップリングの角度の変更のための多様な手段及び実現化を記載する。
【００２３】
−　基板と外部磁場との傾斜によるスイッチング
最も簡単な場合は、全ての量子ビットが線状配列（列）の形で存在することである。結合ベクトルは全ての隣接したキュービットに対して同じである。外部磁場に対するこの列の方位が変化した場合（基板の傾斜によるか又は磁石の傾斜により）に、全てのキュービット相互のカップリングは同時に変化する。この場合、磁場は特に列に対して平行（全てのキュービットの最大カップリング）であるか又は列に対して５４．７゜の角度（スイッチオフされたカップリング）である。４５゜±９．７゜の角度の間での切り替えも考えられ、これによりゼロと最大カップリングの半分の間のカップリングが切り替えられ、中間値では４５゜で最大カップリングの１／４である。基板はさらに複数の領域（列中でのキュービット間よりも大きな距離をあけた平行の列）に区切ることができ、これは相互に無関係に傾斜する。特にこのために液晶が使用され、従って例えばＬＣＤディスプレー中での電場によるこの液晶の配向性が使用される。外部磁場に対してキュービットの結合軸の方位を機械的に変える代わりに、反対に磁場の方位を変えることもできる。量子化するメインフィールドに対して直交する付加的フィールドをかけることにより、有効なフィールド方位を適切に変更できる。このような変化はマイクロ秒の時間スケールで可能であるという利点がある。
【００２４】
−　個々のフラーレンもしくはグループのシフトによるスイッチング
個々の分子又は分子グループは他の方法：フィールドベクトル（スピン配向）に沿ったフラーレンのシフトにより切り替えることができる。この場合には、２つのキュービット間の結合線だけが変化し、電子スピンの方位は変化しない。このシフトは多様な方法で行うことができる：ピエゾ素子、メカニカル素子、例えば単一又は多重ピンセットとしての「マイクロレイク」又はＳＴＭ−探針、フラーレン分子への多様な力伝達の際の基板のメカニカルバイブレータ（基板とフラーレンとの間のスプリング状のアデンド）、スプリング状のアデンドにおける振動モードの直接的な局所的励起又は周波数＞１ＧＨｚまでの市販の振動クオーツを有する表面弾性波（ＳＡＷ）デバイスの使用。
【００２５】
次に、本発明の実施態様を図式的図面を用いて詳細に説明する。
【００２６】
図１ａは、内包フラーレンを有する本発明による電子スピン−量子コンピュータの断面図を表し、
図１ｂは、電子スピンが双極子−双極子相互作用により相互にカップリングされている２つの内包フラーレンを表し、
図２は、カップリング−制御アクセスを備えた本発明による電子スピン−量子コンピュータの断面図を表し、キュービットのカップリング強度を変更するカップリング制御アクセスは、
図２ａでは、磁場の配向に対する基板の傾斜により変更され、
図２ｂでは、隣のフラーレンと比べたフラーレンのたわみにより変更され、
図２ｃでは、基板に対する外部磁場の傾斜により変更される、
図３は、複数のキュービットに対して共通のアドレッシング電極を使用したアドレッシング−制御アクセスを備えた本発明による電子スピン−量子コンピュータの断面図を表し、このキュービットはその静止状態の共鳴振動数において、
図３ａでは、フラーレンの中の距離が異なっている、
図３ｂでは、内包された原子又はフラーレン籠が異なっている、
図３ｃでは、同じ種類の内包フラーレンに異なるアデンドが取り付けられている、
図４は、図３ａ、３ｂ、３ｃによる共通のアドレッシング−制御アクセスを備えた本発明による電子スピン−量子コンピュータの平面図を表す。
【００２７】
図１ａには、内包フラーレンを備えた電子スピン−量子コンピュータ１００の図が示されている。基板１０１上に（酸化層１０２により分離された）内包フラーレン１０４（これは選択された実施例では結合していない封入原子として窒素Ｎを有するＣ６０−フラーレン（Ｎ＠Ｃ６０）である）が、ストライプ状のアドレッシング電極１０３上に配置されており、この電極はアドレッシング−制御アクセスを形成する。ここで使用された内包フラーレン１０４は磁気モーメントを有し、この磁気モーメントは磁気双極子−双極子相互作用（Ｊ）１０５によって隣接原子とカップリングしている。フラーレン１０４に関する電子伝達に基づき電子スピン共鳴振動数の変化によるフラーレン１０４の磁気カップリング（Ｊ）１０５及び／又はアドレッシングの変化によって、電子スピン−量子コンピュータ１００を計算操作の実施のために意図的に影響を及ぼすことができる。
【００２８】
図１ｂは２つの内包フラーレン１０４の図を表し、これらのフラーレンの電子スピン１０６は磁気双極子−双極子相互作用（Ｊ）１０５によって相互にカップリングされている。電子スピン１０６は磁気双極子モーメントを示し、この磁気双極子モーメントは距離と共に急速に低下する磁場を生じ、かつ外部磁場（Ｂ）１０９の方位において同じに（又は正反対に）整列されている。この双極子−双極子相互作用（Ｊ）１０５は、図１ｂにおいて記載した式（Ｊ）について、２つのフラーレン（封入原子）の距離ベクトル（ｒ）１０７及び距離ベクトル（ｒ）１０７とスピン１０６の方向との間の角度（θ）１０８に依存する。
【００２９】
図２ａ、２ｂ及び２ｃにおいて、キュービットのカップリング強度（Ｊ）の変化のためのカップリング制御アクセスのための多様な実現化手段が示されている。これは絶対的な及び相対的な位置状態変化であり、この位置状態変化は単なる機械的手段、例えばねじれ、傾斜又は上昇によって引き起こされる。従って、相応するカップリング制御アクセスは傾斜メカニズム、回転メカニズム又は持ち上げメカニズムの形で構成され、このメカニズムは一般に公知の構造原則に従うことができる。
【００３０】
図２ａには磁場方位（Ｂ）１０９に対する基板１０１のねじれ又は傾斜によるキュービット１０６のカップリング強度（Ｊ）の相互の変化が示されている。（ｒ）１０７で示す結合ベクトルでの基板１０１上の内包フラーレン１０４の、図１ａと同様の配置は、外部磁場（Ｂ）１０９の軸に関する基板１０１の傾斜２０１により所定の角度（θ）１０８に調節される。角度θ＝５４．７゜に対してカップリング（Ｊ）はゼロであり、角度θ＝０゜でカップリング（Ｊ）は最大である。
【００３１】
図２ｂは、フラーレン１０４′の隣接フラーレン１０４に対するたわみによるキュービット１０６のカップリング強度（Ｊ）の変化を表す。基板１０１上に配置されたそれぞれの第２のフラーレン１０４′は、外部磁場（Ｂ）１０９の方位に沿って、つまりこの場合では基板１０１の表面に対して垂直方向に、所定の距離（ｄ）２０２だけ指向的にシフトする。それにより、ゼロとは異なる角度（θ）１０８が結合ベクトル（ｒ）１０７と外部磁場（Ｂ）１０９の方位との間に生じる。この角度（θ）１０８の大きさが、隣接したフラーレン１０４／１０４′の間のカップリング強度（Ｊ）によって決まり、このカップリング強度は調節可能である。
【００３２】
図２ｃには、基板１０１に対する外部磁場（Ｂ）１０９のねじれ又は傾斜によるキュービット１０６のカップリング強度（Ｊ）の変化が示されている。図２ａによる外部フィールド１０９に対してフラーレン１０４と一緒に基板１０１を傾斜させる代わりに、この場合に外部磁場（Ｂ）１０９は角度（β）２０３だけ傾斜させる。この場合に生じる、結合ベクトル（ｒ）１０７と外部磁場（Ｂ）１０９の方位との間の角度（θ）１０８は、上記のようにカップリング（Ｊ）の制御のために使用することができる。
【００３３】
図３ａ、３ｂ及び３ｃには、キュービット１０６の意図的なアドレッシングのためにアドレッシング−制御アクセス用の多様な実現化手段が示されている。この場合に、それぞれ基板３０１上に酸化層２０６により分離された内包フラーレン３０４、３０５、３０６が配置されている。この図の中では、酸化層３０２中にそれぞれ全てのフラーレン３０４、３０５、３０６に対して共通の平面上のアドレッシング−電極３０３が、キュービット１０６の所定の特性との相互作用でアドレッシング−制御アクセスの可能な実現化手段として存在する。
【００３４】
図３ａは、複数のキュービット１０６に対する共通のアドレッシング−電極３０３の使用を示し、これは、フラーレン３０４間の距離（ａ）３００／３００′が異なることによりその静的な共鳴振動数（ω）とは異なる。フラーレン３０４は、異なる距離（ａ）３００／３００′に基づき隣接フラーレンとの異なる双極子−双極子相互作用（Ｊ）１０５が存在するために、その共鳴振動数（ω）において異なっており、この双極子−双極子相互作用は各フラーレン３０４の共鳴振動数（ω）を明らかにシフトさせる。
【００３５】
図３ｂには、複数のキュービット１０６についての共通のアドレッシング−電極３０３の使用が図示されており、このキュービットは内包された原子又はフラーレン籠が異なることによりその静的共鳴振動数（ω）が異なっている。このフラーレン３０４、３０５、３０６はその共鳴振動数（ω１、ω２、ω３）が異なる、それというのもこれらのフラーレンは異なる原子（例えばＣ６０中の窒素Ｎ又はリンＰ）を含有するか又は原子が異なる籠（例えばＣ６０又はＣ７０中の窒素Ｎ）が存在するためである。
【００３６】
図３ｃは複数のキュービット１０６に対する共通のアドレッシング−電極３０３の使用が示されており、このキュービットは同じ種類の内包フラーレン３０４に異なるアデンド３１１、３１２、３１３が取り付けられていることにより静的共鳴振動数（ω）が異なる。これらのフラーレン３０４は異なるアデンド３１１、３１２、３１３を備えているためその共鳴振動数（ω）が異なることができる。これらのアデンド３１１、３１２、３１３は、ここに示された実施例の場合に、その感光性（λ１、λ２、λ３で吸収極大）により異なり、従って有色光によって選択的に応答可能であるため、フラーレン３０４は相応してアドレッシング可能である。この種の異なる感色性フラーレンは例えば同じ感色性を有するグループで基板上に正方形に配置されているため、対応するアドレス領域が生じる（図３ｃには図示されていない）。吸光により特に電子がフラーレン籠３０４に伝達され、この電子がＥＳＲ振動を変更する。電子伝達によるアドレッシング−制御アクセスの光スイッチの場合には、アドレッシング−電極３０３は電荷搬出の制御に利用される。これは、フラーレン３０４上の電子の滞留時間を他の方法で、例えばアドレッシング電極３０３の化学的操作によって制御する場合に、電気的機能様式なしで実現することができる。
【００３７】
図４では、図３ａ及び３ｃによる実現化設定による電子スピン−量子コンピュータ４００の上から見た図を表す。酸化層３０２上に、異なるタイプの内包フラーレン３０４、３０５、３０６が行４０１及び列４０２に配置されている。行４０１内にはフラーレン３０４、３０５、３０６がそれぞれのタイプによって相互に異なり、列４０２内にはそれぞれの距離（ａ）３００／３００′により相互に異なる。２つのパラメータ（タイプ及び距離）は、フラーレン３０４、３０５、３０６中に内包された原子のキュービット１０６の差異をその共鳴振動数（ω１、ω２、ω３）及びそのカップリング（Ｊ）に基づいて静的に設定する。キュービット１０６の異なる共鳴振動数（ω１、ω２、ω３）により、この場合に平面状の、酸化層３０２内に導入された電極３０３により実現化されているアドレッシング−制御アクセスが、全てのキュービット１０６に対して共通に作用させるだけのために必要である。
【図面の簡単な説明】
【図１】
１ａは内包フラーレンを有する本発明による電子スピン−量子コンピュータの断面図、１ｂは電子スピンが双極子−双極子相互作用により相互にカップリングされている２つの内包フラーレンの図
【図２】
多様な方法により変更されたキュービットのカップリング強度を変更するカップリング制御アクセスを備えた本発明による電子スピン量子コンピュータの断面図
【図３】
多様な方法によりキュービットの静止状態の共鳴振動数が異なる、複数のキュービットに対して共通のアドレッシング電極を使用したアドレッシング−制御アクセスを備えた本発明による電子スピン−量子コンピュータの断面図
【図４】
図３による共通のアドレッシング−制御アクセスを備えた本発明による電子スピン−量子コンピュータの平面図
【符号の説明】
１００　電子スピン−量子コンピュータ
１０１　基板
１０２　酸化層
１０３　アドレッシング−電極
１０４　内包フラーレン
１０４′　たわんだ内包フラーレン
１０５　双極子−双極子相互作用／電磁的カップリング（Ｊ）
１０６　電子スピン（キュービット）
１０７　距離ベクトル（ｒ）
１０８　角度（θ）
１０９　外部磁場（Ｂ）
２０１　傾斜／ねじれ
２０２　シフトベクトル（ｄ）
２０３　角度（β）
３００　距離（ａ）
３００′　距離（ａ）
３０１　基板
３０２　酸化層
３０３　アドレッシング−電極
３０４　共鳴振動数ω１を有する内包フラーレン
３０５　共鳴振動数ω２を有する内包フラーレン
３０６　共鳴振動数ω３を有する内包フラーレン
３１１　λ１で吸光極大を有する感光性アデンド
３１２　λ２で吸光極大を有する感光性アデンド
３１３　λ３で吸光極大を有する感光性アデンド
４００　電子スピン−量子コンピュータ
４０１　行
４０２　列
【国際公開パンフレット】
2004514226.tif 000003
2004514226.tif 000004
2004514226.tif 000005
2004514226.tif 000006
2004514226.tif 000007
2004514226.tif 000008
2004514226.tif 000009
2004514226.tif 000010
2004514226.tif 000011
2004514226.tif 000012
2004514226.tif 000013
2004514226.tif 000014
2004514226.tif 000015
2004514226.tif 000016
2004514226.tif 000017
2004514226.tif 000018
2004514226.tif 000019
2004514226.tif 000020
2004514226.tif 000021
2004514226.tif 000022
2004514226.tif 000023
2004514226.tif 000024
2004514226.tif 000025
2004514226.tif 000026
2004514226.tif 000027
2004514226.tif 000028
2004514226.tif 000029
2004514226.tif 000030
2004514226.tif 000031
2004514226.tif 000032
2004514226.tif 000033
2004514226.tif 000034
2004514226.tif 000035
【国際調査報告】
2004514226.tif 000036
2004514226.tif 000037
2004514226.tif 000038
2004514226.tif 000039
2004514226.tif 000040
2004514226.tif 000041